(57)【要約】【課題】この発明は、楽曲区間の開始位置および終了位置の検出精度の向上化が図れる楽曲記録装置を提供することを目的とする。【解決手段】放送波を受信し、受信した放送波から得られる左右２チャネルの音声信号から楽曲部分を抽出して記録媒体に記録する機能を備えた楽曲記録装置において、受信した音声信号から音声パワーの変化量が大きい箇所を変化点として検出する変化点検出手段、受信した音声信号から、左右２チャンネルの音声信号の振幅差分値を算出する振幅差分値算出手段、ならびに変化点検出手段によって検出された変化点付近の振幅差分値に基づいて、楽曲区間の開始位置および終了位置を特定する特定手段を備えている。【選択図】図２
2009192725.tif 000002
【特許請求の範囲】
【請求項１】
放送波を受信し、受信した放送波から得られる左右２チャネルの音声信号から楽曲部分を抽出して記録媒体に記録する機能を備えた楽曲記録装置において、
受信した音声信号から音声パワーの変化量が大きい箇所を変化点として検出する変化点検出手段、
受信した音声信号から、左右２チャンネルの音声信号の振幅差分値を算出する振幅差分値算出手段、ならびに
変化点検出手段によって検出された変化点付近の振幅差分値に基づいて、楽曲区間の開始位置および終了位置を特定する特定手段、
を備えていることを特徴とする楽曲記録装置。
【請求項２】
上記特定手段は、
変化点検出手段によって検出された変化点付近の振幅差分値の平均値が所定の閾値未満であると判別したときに、当該変化点位置を楽曲区間の開始位置として記憶する第１手段、
第１手段によって楽曲区間の開始位置が記憶された後において、変化点検出手段によって変化点が検出される毎に、当該変化点付近の振幅差分値の平均値が所定の閾値未満であるか否かを判別する第２手段、
第２手段によって、振幅差分値の平均値が所定の閾値未満であると判別されたときには、楽曲区間の開始位置として記憶されている変化点位置から、今回検出された変化点位置までの区間長が所定長以上であるか否かを判別する第３手段、
第３手段によって、上記区間長が所定長未満であると判別されたときには、楽曲区間の開始位置を、今回検出された変化点位置に更新させる第４手段、および
第３手段によって、上記区間長が所定長以上であると判別されたときには、今回検出された変化点位置を楽曲区間の終了位置として記憶する第５手段、
を備えていることを特徴とする請求項１に記載の楽曲記録装置。
【請求項３】
上記特定手段は、
変化点検出手段によって検出された変化点付近の振幅差分値の平均値が所定の閾値未満であると判別したときに、当該変化点位置を楽曲区間の開始位置として記憶する第１手段、
第１手段によって楽曲区間の開始位置が記憶された後において、変化点検出手段によって変化点が検出される毎に、当該変化点付近の振幅差分値の平均値が所定の閾値未満であるか否かを判別する第２手段、
第２手段によって、振幅差分値の平均値が所定の閾値未満であると判別されたときには、楽曲区間の開始位置として記憶されている変化点位置から、今回検出された変化点位置までの区間長が所定長以上であるか否かを判別する第３手段、
第３手段によって、上記区間長が所定長未満であると判別されたときには、楽曲区間の開始位置を、今回検出された変化点位置に更新させる第４手段、
第３手段によって、上記区間長が所定長以上であると判別されたときには、今回検出された変化点位置を楽曲区間の終了位置として記憶する第５手段、および
第５手段によって記憶された楽曲区間の終了位置を、次の楽曲区間の開始位置として記憶した後において、上記第２手段による処理を実行させる第６手段、
を備えていることを特徴とする請求項１に記載の楽曲記録装置。
【請求項４】
受信した音声信号から、周波数領域の特徴量を算出する周波数領域特徴量算出手段を更に備えており、
上記特定手段は、変化点検出手段によって検出された変化点付近の、振幅差分値および周波数領域の特徴量に基づいて、楽曲区間の開始位置および終了位置を特定するものであることを特徴とする請求項１に記載の楽曲記録装置。
【請求項５】
変化点検出手段によって検出された変化点付近の振幅差分値は、変化点検出手段によって検出された変化点位置を中心とする前後所定時間範囲内の、左右２チャンネルの音声信号の振幅差分値の平均値であることを特徴とする請求項１乃至４に記載の楽曲記録装置。
【発明の詳細な説明】
【技術分野】
【０００１】
この発明は、ラジオ放送、テレビ放送等の放送波を受信し、受信した放送波から楽曲コンテンツを抽出して記録する機能を備えた楽曲記録装置に関する。
【背景技術】
【０００２】
ラジオ放送、テレビ放送等によって提供される音楽番組では、音楽（楽曲）と、ＭＣ（master of ceremony) やＤＪなどのトークから番組が構成されている。このような音楽番組では、楽曲の間にトークが入る。また、楽曲の冒頭部分や終了部分では、楽曲にＤＪの音声が重なる場合が多い。
【０００３】
ラジオ放送またはテレビ放送を受信し、受信した放送波から楽曲コンテンツを抽出して記録する機能および記録した楽曲データを再生する機能を備えた楽曲記録再生装置が知られている。
【０００４】
従来の楽曲記録再生装置では、受信した放送波から楽曲コンテンツを抽出する際に、ステレオ感のみによって楽曲区間の開始位置および終了位置を検出している。つまり左チャンネルの音声信号と右チャンネルの音声信号との差分値が所定の第１閾値より大きくなったことに基づいて楽曲区間の開始位置を検出し、両チャンネルの音声信号の差分値が所定の第２閾値より小さくなったことに基づいて楽曲区間の終了位置を検出している。
【特許文献１】特表２００５−５１８５６０号公報
【発明の開示】
【発明が解決しようとする課題】
【０００５】
従来の楽曲抽出方法では、ステレオ感の小さい箇所が楽曲区間の途中に存在する場合には、その箇所を楽曲区間の終了位置と誤検出することがあった。
【０００６】
この発明は、楽曲区間の開始位置および終了位置の検出精度の向上化が図れる楽曲記録装置を提供することを目的とする。
【課題を解決するための手段】
【０００７】
請求項１に記載の発明は、放送波を受信し、受信した放送波から得られる左右２チャネルの音声信号から楽曲部分を抽出して記録媒体に記録する機能を備えた楽曲記録装置において、受信した音声信号から音声パワーの変化量が大きい箇所を変化点として検出する変化点検出手段、受信した音声信号から、左右２チャンネルの音声信号の振幅差分値を算出する振幅差分値算出手段、ならびに変化点検出手段によって検出された変化点付近の振幅差分値に基づいて、楽曲区間の開始位置および終了位置を特定する特定手段を備えていることを特徴とする。
【０００８】
請求項２に記載の発明は、請求項１に記載の発明において、上記特定手段は、変化点検出手段によって検出された変化点付近の振幅差分値の平均値が所定の閾値未満であると判別したときに、当該変化点位置を楽曲区間の開始位置として記憶する第１手段、第１手段によって楽曲区間の開始位置が記憶された後において、変化点検出手段によって変化点が検出される毎に、当該変化点付近の振幅差分値の平均値が所定の閾値未満であるか否かを判別する第２手段、第２手段によって、振幅差分値の平均値が所定の閾値未満であると判別されたときには、楽曲区間の開始位置として記憶されている変化点位置から、今回検出された変化点位置までの区間長が所定長以上であるか否かを判別する第３手段、第３手段によって、上記区間長が所定長未満であると判別されたときには、楽曲区間の開始位置を、今回検出された変化点位置に更新させる第４手段、および第３手段によって、上記区間長が所定長以上であると判別されたときには、今回検出された変化点位置を楽曲区間の終了位置として記憶する第５手段を備えていることを特徴とする。
【０００９】
請求項３に記載の発明は、請求項１に記載の発明において、上記特定手段は、変化点検出手段によって検出された変化点付近の振幅差分値の平均値が所定の閾値未満であると判別したときに、当該変化点位置を楽曲区間の開始位置として記憶する第１手段、第１手段によって楽曲区間の開始位置が記憶された後において、変化点検出手段によって変化点が検出される毎に、当該変化点付近の振幅差分値の平均値が所定の閾値未満であるか否かを判別する第２手段、第２手段によって、振幅差分値の平均値が所定の閾値未満であると判別されたときには、楽曲区間の開始位置として記憶されている変化点位置から、今回検出された変化点位置までの区間長が所定長以上であるか否かを判別する第３手段、第３手段によって、上記区間長が所定長未満であると判別されたときには、楽曲区間の開始位置を、今回検出された変化点位置に更新させる第４手段、第３手段によって、上記区間長が所定長以上であると判別されたときには、今回検出された変化点位置を楽曲区間の終了位置として記憶する第５手段、および第５手段によって記憶された楽曲区間の終了位置を、次の楽曲区間の開始位置として記憶した後において、上記第２手段による処理を実行させる第６手段を備えていることを特徴とする。
【００１０】
請求項４に記載の発明は、請求項１に記載の発明において、受信した音声信号から、周波数領域の特徴量を算出する周波数領域特徴量算出手段を更に備えており、上記特定手段は、変化点検出手段によって検出された変化点付近の、振幅差分値および周波数領域の特徴量に基づいて、楽曲区間の開始位置および終了位置を特定するものであることを特徴とする。
【００１１】
請求項５に記載の発明は、請求項１乃至４に記載の発明において、変化点検出手段によって検出された変化点付近の振幅差分値は、変化点検出手段によって検出された変化点位置を中心とする前後所定時間範囲内の、左右２チャンネルの音声信号の振幅差分値の平均値であることを特徴とする。
【発明の効果】
【００１２】
この発明によれば、楽曲区間の開始位置および終了位置の検出精度の向上化が図れるようになる。
【発明を実施するための最良の形態】
【００１３】
以下、図面を参照して、この発明の実施例について説明する。
【実施例１】
【００１４】
〔１〕楽曲記録再生装置の構成
図１は、楽曲記録再生装置の構成を示している。
【００１５】
楽曲記録再生装置は、アンテナ１、ＦＭチューナ部２、Ａ／Ｄ変換部３、MP3 codec 部４、Ｄ／Ａ変換部５、スピーカ部６、ＨＤＤ−ＩＦ７、ＨＤＤ８、ＤＳＰ９、ＣＰＵ１０、メモリ１１、操作部１２等を備えている。
【００１６】
ＦＭチューナ部２は、アンテナ１を介して入力したＦＭ放送波からユーザによって選択された所定の周波数の放送波を選局し、選局した放送波を復調してアナログ音声信号（左チャンネルの音声信号および右チャンネルの音声信号）を出力する。Ａ／Ｄ変換部３は、ＦＭチューナ部２で得られたアナログ音声信号をデジタル音声信号に変換する。
【００１７】
MP3 codec 部４は、楽曲に対応するデジタル音声信号をＭＰ３圧縮データにエンコードしたり、ＨＤＤ８から読み出されたＭＰ３圧縮データをデジタル音声信号にデコードしたりする。ＨＤＤ−ＩＦ７は、ＨＤＤ８とのインターフェイスを実現する。ＨＤＤ８は、大容量記憶装置である。
【００１８】
ＤＳＰ９は、入力される音声データから変化点を検出したり、ステレオ感を算出したりする。変化点とは、音声データのうち、音声パワーの変化量が所定の閾値より大きい箇所をいう。また、ステレオ感は、左チャンネルの音声データと右チャンネルの音声データとの差分値で表される。ＤＳＰ９は、変化点を検出するために、入力される音声データから音声パワーの変化量を算出する。
【００１９】
ＣＰＵ１０は、楽曲記録再生装置の各部を制御する。メモリ１１は、ＣＰＵ１０のワークメモリとして動作する。なお、ＣＰＵ１０のプログラム等のデータは図示しないＲＯＭに格納されている。
【００２０】
ＨＤＤ８には、MP3 codec 部４のエンコード機能によって得られたＭＰ３圧縮データが記録される。Ｄ／Ａ変換部５は、MP3 codec 部４のデコード機能によって得られたデジタル音声信号をアナログ音声信号に変換する。スピーカ部６は、Ｄ／Ａ変換部５によって得られたアナログ音声信号を出力する。
〔２〕楽曲記録処理
図２は、楽曲記録処理手順を示している。
【００２１】
楽曲記録処理時には、Ａ／Ｄ変換部３から入力された音声データはＤＳＰ９に入力されるとともに、メモリ１１にも送られる。メモリ１１内の所定の第１領域には、新しいものから過去所定時間分の音声データが保持される。この所定時間（以下、第１の所定時間という）は、数曲分の音声データを記憶可能な時間（例えば、１５分）に設定されている。また、メモリ１１内の所定の第２領域には、新しいものから過去所定時間分の音声データが保持される。この所定時間（以下、第２の所定時間という）は、数秒間（例えば、１０秒間）の音声データを記憶可能な時間に設定されている。また、楽曲記録処理時には、ＤＳＰ９は、常時、左右両チャンネルの音声データの振幅差分値（以下、左右の振幅差分値という）を算出して、メモリ１１内の所定の第３領域に記憶させる。この第３領域には、新しいものから過去所定時間分の振幅差分値が保持される。この所定時間（以下、第３の所定時間という）は、第２の所定時間と同じ時間（例えば、１０秒間）に設定されている。
【００２２】
ＣＰＵ１０は、ユーザの録音開始指示により、楽曲記録処理を開始する。楽曲記録処理が開始されると、ＣＰＵ１０は、ＦＭチューナ部２を起動して、ＦＭチューナ部２に指定された放送局を選局させるとともに、ＤＳＰ９に左右の振幅差分値を算出させてメモリ１１の第３領域に記憶させる処理を開始させる（ステップＳ１）。
【００２３】
ＦＭチューナ部２の出力は、Ａ／Ｄ変換部３に送られてデジタルの音声データに変換される。この音声データは、ＤＳＰ９に送られるとともにメモリ１１に送られる。これにより、メモリ１１内の第１領域および第２領域への音声データの記憶が開始せしめられる。      
【００２４】
なお、音声データのメモリ１１内の第１領域への記憶が開始された後において、第１の所定時間分（この例では、１５分間）の音声データがメモリ１１内の第１領域に記憶された場合には、それ以後は、第１領域内の最も古い音声データが削除されて、最新の音声データがメモリ１１内の第１領域に記録される。同様に、音声データのメモリ１１内の第２領域への記憶が開始された後において、第２の所定時間分（この例では、１０秒間）の音声データがメモリ１１内の第２領域に記憶された場合には、それ以後は、第２領域内の最も古い音声データが削除されて、最新の音声データがメモリ１１内の第２領域に記録される。
【００２５】
また、ＤＳＰ９は、ＤＳＰ９に入力された左チャンネルの音声データと右チャンネルの音声データとの振幅差分値（左右の振幅差分値）を算出してメモリ１１内の第３領域に記憶させるという処理を開始する。
【００２６】
この後、ＤＳＰ９およびＣＰＵ１０は、変化点を検出するとともに変化点位置付近のステレオ感を算出するための処理（以下、変化点付近のステレオ感算出処理という）を行なう（ステップＳ２）。
【００２７】
図３は、変化点付近のステレオ感算出処理の手順を示している。
【００２８】
まず、ＤＳＰ９は、メモリ１１の第２領域に記憶されている現在時刻から１０秒前までの１０秒間の音声データのうち、現在時刻から５秒前の音声データを処理対象位置の音声データ（処理対象データ）として読み込む（ステップＳ２１）。そして、ＤＳＰ９は、読み込んだ音声パワーの変化量を算出してＣＰＵ１０に与える（ステップＳ２２）。音声パワーとしては、例えば、音声信号の振幅を二乗したものが用いられる。ＣＰＵ１０は、ＤＳＰ９から与えられた音声パワーの変化量に基づいて、処理対象位置（現在時刻から５秒前に音声データが入力された位置）が変化点であるか否かを判別する（ステップＳ２３）。つまり、ＤＳＰ９から与えられた音声パワーの変化量が所定の閾値Ｔｈ１より大きいときに、処理対象位置が変化点であると判別する。
【００２９】
処理対象位置が変化点ではないと判別した場合には、ステップＳ２１に戻り、再度ステップＳ２１〜Ｓ２３の処理を行なう。
【００３０】
上記ステップＳ２３において、処理対象位置が変化点であると判別した場合には、メモリ１１の第３領域に保存されている、当該変化点を中心とした前後約５秒ずつの合計１０秒間の左右の振幅差分値を読み出し、その平均値を変化点付近のステレオ感評価値として算出する（ステップＳ２４）。そして、今回の変化点付近のステレオ感算出処理を終了する。
【００３１】
図２に戻り、ステップＳ２の変化点付近のステレオ感算出処理が終了すると、ステップＳ２で算出されたステレオ感評価値が所定の閾値Ｔｈ２未満であるか否かを判別する（ステップＳ３）。
【００３２】
ステップＳ２で算出されたステレオ感評価値が所定の閾値Ｔｈ２以上であると判別した場合には、処理対象位置は楽曲部分であると判断し、ステップＳ２に戻る。
【００３３】
上記ステップＳ３において、ステップＳ２で算出されたステレオ感評価値が所定の閾値Ｔｈ２未満であると判別した場合には、処理対象位置は楽曲部分ではなく、ＭＣやＤＪなどのトーク部分であると判断する。この場合には、これ以後に楽曲が開始される可能性があるので、楽曲開始時刻Ｐｓとして処理対象位置の時刻情報（現在時刻の５秒前の時刻情報）を記憶する（ステップＳ４）。そして、ステップＳ５に進む。ステップＳ５では、ステップＳ２と同様に、変化点付近のステレオ感算出処理を行なう。
【００３４】
ステップＳ５の変化点付近のステレオ感算出処理が終了すると、ステップＳ５で算出されたステレオ感評価値が所定の閾値Ｔｈ２未満であるか否かを判別する（ステップＳ６）。
【００３５】
ステップＳ５で算出されたステレオ感評価値が所定の閾値Ｔｈ２以上であると判別した場合には、処理対象位置は楽曲部分であると判断し、ステップＳ５に戻る。
【００３６】
上記ステップＳ６において、ステップＳ５で算出されたステレオ感評価値が所定の閾値Ｔｈ２未満であると判別した場合には、処理対象位置は、楽曲部分ではなく、ＭＣやＤＪなどのトーク部分であると判断し、楽曲開始時刻Ｐｓとして記憶されている時刻から現在の処理対象位置の時刻（現在時刻の５秒前の時刻）までの区間長が所定時間ΔＴ以上であるか否かを判別する（ステップＳ７）。つまり、今回、トーク部分であると判別された変化点と、前回にトーク部分であると判別された変化点との間の区間の長さがΔＴ以上であるか否かを判別する。
【００３７】
楽曲開始時刻Ｐｓとして記憶されている時刻から現在の処理対象位置の時刻までの区間長が所定時間ΔＴ未満であると判別した場合には、当該区間は１つの楽曲区間を構成していないと判別し、楽曲開始時刻Ｐｓを現在の処理対象位置の時刻情報（現在時刻の５秒前の時刻情報）に更新する（ステップＳ８）。そして、ステップＳ５に戻る。
【００３８】
上記ステップＳ７において、楽曲開始時刻Ｐｓとして記憶されている時刻から現在の処理対象位置の時刻までの区間長が所定時間ΔＴ以上であると判別した場合には、現在の処理対象位置の時刻情報（現在時刻の５秒前の時刻情報）を楽曲終了時刻Ｐｅとして記憶する（ステップＳ９）。そして、メモリ１１内の第１領域に保持されている音声データのうち、楽曲開始時刻Ｐｓから楽曲終了時刻Ｐｅまでの区間に相当する音声データを楽曲データとして抽出し、MP3 codec 部４により圧縮させた後、ＨＤＤ８に記録させる（ステップＳ１０）。この後、楽曲開始時刻Ｐｓを、楽曲終了時刻Ｐｅとして記憶されている時刻に更新した後（ステップＳ１１）、ステップＳ５に戻る。
【００３９】
なお、ユーザ操作によって録音終了指示が入力されると、楽曲記録処理は終了する。
【００４０】
図４に示すように、第１のＤＪ区間１０１が終了した後に、楽曲区間１０２が開始され、楽曲区間１０２が終了した後に第２のＤＪ区間１０３が開始される場合を想定する。
【００４１】
第１のＤＪ区間１０１より前の楽曲区間１００の途中から録音開始指示が入力されたとすると、第１のＤＪ区間１０１より前の楽曲区間１００の音声データが処理対象データとしてメモリ１１の第２領域内からＤＳＰ９に読み込まれている間においては、ステップＳ２において変化点が検出されないか、仮に変化点が検出されてもステレオ感評価値が閾値Ｔｈ２以上であるためステップＳ３でＮＯとなるため、ステップＳ２の処理が継続されるか、ステップＳ２およびＳ３の処理が繰り返される。
【００４２】
第１のＤＪ区間１０１より前の楽曲区間１００に対する処理が終了し、第１のＤＪ区間１０１の音声データが処理対象データとしてメモリ１１の第２領域内からＤＳＰ９に読み込まれている間においては、ステップＳ２において変化点が検出される。また、検出された変化点に対応するステレオ感評価値が閾値Ｔｈ２未満となるため、ステップＳ３でＹＥＳとなり、ステップＳ４で楽曲開始時刻Ｐｓとして当該変化点に対応する時刻が記録される。また、ステップＳ４の後、ステップＳ５に進む。ステップＳ５で変化点が検出された場合、ステレオ感評価値が閾値Ｔｈ２未満となる可能性が高いので、ステップＳ７に進むが、楽曲開始時刻Ｐｓとして記憶されている時刻から現在の処理対象位置までの区間長が所定時間ΔＴ未満となるので、ステップＳ７でＮＯとなり、ステップＳ８で楽曲開始時刻Ｐｓが更新される。したがって、Ｓ５〜Ｓ８の処理が繰り返されることになる。
【００４３】
第１のＤＪ区間１０１に対する処理が終了し、楽曲区間１０２の音声データが処理対象データとしてメモリ１１の第２領域内からＤＳＰ９に読み込まれている間においては、ステップＳ５において変化点が検出されないか、仮に変化点が検出されてもステレオ感評価値が閾値Ｔｈ２以上であるため、ステップＳ６でＮＯとなるため、ステップＳ５の処理が継続されるか、ステップＳ５およびＳ６の処理が繰り返される。
【００４４】
楽曲区間１０２に対する処理が終了し、第２のＤＪ区間１０３の音声データが処理対象データとしてメモリ１１の第２領域内からＤＳＰ９に読み込まれると、ステップＳ５において変化点が検出される。また、検出された変化点に対応するステレオ感評価値が閾値Ｔｈ２未満となるため、ステップＳ６でＹＥＳとなり、ステップＳ７に進む。楽曲開始時刻Ｐｓとして記憶されている時刻から現在の処理対象位置までの区間長が所定時間ΔＴ以上となるので、ステップＳ７でＹＥＳとなり、ステップＳ９に進み、現在の処理対象位置に対応する時刻が楽曲終了時刻Ｐｅとして記憶される。そして、メモリ１１内の第１領域に保持されている音声データのうち、楽曲開始時刻Ｐｓから楽曲終了時刻Ｐｅまでの区間に相当する音声データが楽曲データとして抽出され、圧縮された後、ＨＤＤ８に記録される。
【００４５】
ところで、楽曲の開始位置、終了位置の検出精度を高めるためには、変化点検出のための閾値を低くすることにより、多くの変化点を検出するようにすることが好ましい。しかしながら、変化点検出のための閾値を低くすると、楽曲区間内において変化点として検出される箇所が多くなる。このため、従来例で説明したように、楽曲区間内においてステレオ感が小さい箇所が存在する場合には、終了位置を誤検出する可能性が高くなる。そこで、このような誤検出を回避するために、変化点付近の周波数領域の特徴量をも考慮して楽曲の開始位置、終了位置を検出するようにすることが好ましい。
【００４６】
つまり、上記実施例では、変化点付近の左右差分値の平均値に基づいて、処理対象データが楽曲部分であるかトーク部分であるかを判別し、この判別結果を利用して楽曲区間の開始位置および終了位置を特定しているが、さらに変化点付近の周波数領域の特徴量を考慮して、処理対象データが楽曲部分であるかトーク部分であるかを判別するようにしてもよい。
【００４７】
周波数領域における特徴量としては、例えば、メルケプストラム（ＭＦＣＣ：Mel Frequency Cepstral Coefficients)を用いることができる。より具体的には、変化点付近において検出されたＭＦＣＣと予め作成されている楽曲に対する基準データ（ＭＦＣＣ）との間の尤度を算出し、尤度が所定の第３閾値以上でかつ上述したステレオ感評価値が第２閾値以上である場合に当該変化点近傍が楽曲であると判別する。
【図面の簡単な説明】
【００４８】
【図１】楽曲記録再生装置の構成を示すブロック図である。
【図２】楽曲記録処理手順を示すフローチャートである。
【図３】変化点付近のステレオ感算出処理の手順を示すフローチャートである。
【図４】楽曲記録処理をより具体的に説明するための模式図である。
【符号の説明】
【００４９】
１  アンテナ
２  ＦＭチューナ部
３  Ａ／Ｄ変換部
４  MP3 codec 部
５  Ｄ／Ａ変換部
６  スピーカ部
７  ＨＤＤ−ＩＦ
８  ＨＤＤ
９  ＤＳＰ
１０  ＣＰＵ
１１  メモリ
１２  操作部
【図１】
2009192725.tif 000003
【図２】
2009192725.tif 000004
【図３】
2009192725.tif 000005
【図４】
2009192725.tif 000006